(57)【特許請求の範囲】
【請求項１】
用紙搬送経路を形成する内側の固定ガイドと、この固定ガイドの外側において用紙の搬送方向上流側の部分を支点として固定ガイドに近接・離間する方向に回動される可動ガイドとを備え、前記の可動ガイドを固定ガイドに近接させる方向に回動させて、この可動ガイドと前記の固定ガイドとの間における用紙搬送経路を通して用紙を搬送させる用紙搬送装置において、前記の可動ガイドにおける用紙の搬送方向下流側の端部に切欠き部を設け、この切欠き部を通して、用紙が用紙搬送経路内に詰まったことを検出できるようにすると共に、用紙搬送経路内に用紙が詰まった場合に、前記の可動ガイドを固定ガイドから離間させる方向に回動させて、可動ガイドにおける用紙の搬送方向下流側の端部と固定ガイドとの隙間を大きくし、前記の切欠き部の部分を通して詰まった用紙の一部をつまんで、詰まった用紙を可動ガイドと固定ガイドとの間から取り出すことを特徴とする用紙搬送装置。
【請求項２】
請求項１に記載の用紙搬送装置において、前記の可動ガイドにおける前記の切欠き部を、可動ガイドの幅方向中央部に所要間隔を介して少なくとも２つ設けたことを特徴とする用紙搬送装置。
【請求項３】
請求項１又は請求項２に記載の用紙搬送装置において、前記の切欠き部が設けられる前記の可動ガイドにおける用紙の搬送方向下流側の端部に、切欠き部を除くようにして透光性のシート部材を設けたことを特徴とする用紙搬送装置。
【請求項４】
請求項１〜請求項３の何れか１項に記載の用紙搬送装置において、前記の用紙搬送経路よりも用紙の搬送方向上流側に給紙ローラーを設け、この給紙ローラーにより給紙された用紙を前記の固定ガイドと可動ガイドとの間の用紙搬送経路を通して搬送させることを特徴とする用紙搬送装置。
【請求項５】
用紙を搬送させる用紙搬送装置を備えた画像形成装置において、請求項１〜請求項４の何れか１項に記載の用紙搬送装置を用いたことを特徴とする画像形成装置。
【発明の詳細な説明】
【技術分野】
【０００１】
本発明は、固定ガイドと、この固定ガイドに近接・離間する方向に回動される可動ガイドとの間における用紙搬送経路を通して用紙を搬送させる用紙搬送装置及びこのような用紙搬送装置を備えた複写機、プリンター、ファクシミリ及びこれらの複合機等の画像形成装置に関するものである。特に、前記の可動ガイドと固定ガイドとの間における用紙搬送経路に用紙が詰まった場合において、可動ガイドを固定ガイドから離間させる方向に回動させる角度が制限される状況下においても、用紙搬送経路に詰まった用紙を簡単に検出して、用紙搬送経路に詰まった用紙を、可動ガイドと固定ガイドとの間から簡単且つ適切に取り出せるようにした点に特徴を有するものである。
【背景技術】
【０００２】
複写機、プリンター、ファクシミリ及びこれらの複合機等の画像形成装置においては、用紙を用紙搬送装置により用紙搬送経路を通して搬送させるようにしており、例えば、給紙カセットから給紙された用紙を用紙搬送装置により用紙搬送経路を通して画像形成部に搬送させるようにしている。
【０００３】
そして、このように用紙を用紙搬送装置により用紙搬送経路を通して搬送させる場合、用紙が用紙搬送経路に詰まることがあった。
【０００４】
このため、従来においては、特許文献１等に示されるように、固定ガイドの外側において用紙の搬送方向上流側の部分を支点として固定ガイドに近接・離間する方向に回動される可動ガイドを設け、この可動ガイドを固定ガイドに近接させる方向に回動させて、この可動ガイドと固定ガイドとの間における用紙搬送経路を通して用紙を搬送させるようにし、用紙が用紙搬送経路に詰まった場合には、前記の可動ガイドを固定ガイドから離間させる方向に回動させて、用紙搬送経路に詰まった用紙を、可動ガイドと固定ガイドとの間から取り出すようにしていた。
【０００５】
しかし、近年においては、画像形成装置の小型化に伴って、前記の固定ガイドと可動ガイドとで構成される用紙搬送経路が小型化されると共に、前記の可動ガイドを固定ガイドから離間させる方向に回動させる角度も制限されるようになっている。
【０００６】
このため、用紙が用紙搬送経路に詰まったことを検出することが困難になり、また用紙が用紙搬送経路に詰まった場合に、前記の可動ガイドを固定ガイドから離間させる方向に大きく回動させることができず、用紙搬送経路に詰まった用紙を、可動ガイドと固定ガイドとの間を通して取り出すことが困難になるという問題があった。
【先行技術文献】
【特許文献】
【０００７】
【特許文献１】特開２０１１−３２０４０号公報
【発明の概要】
【発明が解決しようとする課題】
【０００８】
本発明は、固定ガイドと、この固定ガイドに近接・離間する方向に回動される可動ガイドとの間における用紙搬送経路を通して用紙を搬送させるようにした用紙搬送装置における前記のような様々な問題を解決することを課題とするものである。
【０００９】
すなわち、本発明においては、前記のような用紙搬送装置において、可動ガイドを固定ガイドから離間させる方向に回動させる角度が制限される場合においても、用紙搬送経路に詰まった用紙を簡単に検出することができると共に、用紙搬送経路に詰まった用紙を、可動ガイドと固定ガイドとの間から簡単且つ適切に取り出せるようにすることを課題とするものである。
【課題を解決するための手段】
【００１０】
本発明における用紙搬送装置においては、前記のような課題を解決するため、用紙搬送経路を形成する内側の固定ガイドと、この固定ガイドの外側において用紙の搬送方向上流側の部分を支点として固定ガイドに近接・離間する方向に回動される可動ガイドとを備え、前記の可動ガイドを固定ガイドに近接させる方向に回動させて、この可動ガイドと前記の固定ガイドとの間における用紙搬送経路を通して用紙を搬送させる用紙搬送装置において、前記の可動ガイドにおける用紙の搬送方向下流側の端部に切欠き部を設け、この切欠き部を通して、用紙が用紙搬送経路内に詰まったことを検出できるようにすると共に、用紙搬送経路内に用紙が詰まった場合に、前記の可動ガイドを固定ガイドから離間させる方向に回動させて、可動ガイドにおける用紙の搬送方向下流側の端部と固定ガイドとの隙間を大きくし、前記の切欠き部の部分を通して詰まった用紙の一部をつまんで、詰まった用紙を可動ガイドと固定ガイドとの間から取り出すようにした。
【００１１】
そして、本発明における用紙搬送装置において、前記のように可動ガイドにおける用紙の搬送方向下流側の端部に設けた切欠き部を通して、用紙が用紙搬送経路内に詰まったことを検出すると共に、この切欠き部の部分から用紙搬送経路内に詰まった用紙の一部を指等でつまんで、詰まった用紙を可動ガイドと固定ガイドとの間から取り出すようにすると、用紙搬送経路内に詰まった用紙を可動ガイドと固定ガイドとの間から簡単に取り出すことができるようになる。
【００１２】
ここで、前記のように可動ガイドにおける用紙の搬送方向下流側の端部に切欠き部を設けるにあたっては、可動ガイドの幅方向中央部に所要間隔を介するようにして少なくとも２つの切欠き部を設けることが好ましい。このようにすると、所要間隔を介して設けられた２つの切込み部を通して、用紙搬送経路内に詰まった用紙の２ヶ所を指等でつまみ、用紙を平行にした状態で、可動ガイドと固定ガイドとの間から取り出すことができ、用紙が破れて用紙の一部が用紙搬送経路内に残るのが抑制される。
【００１３】
また、前記のように切欠き部が設けられる可動ガイドにおける用紙の搬送方向下流側の端部に、切欠き部を除くようにして透光性のシート部材を設けるようにすると、この透光性のシート部材で構成された部分を通しても、用紙搬送経路内に詰まった用紙を検出することができるようになる。
【００１４】
また、前記の用紙搬送装置においては、用紙搬送経路よりも用紙の搬送方向上流側に給紙ローラーを設け、この給紙ローラーにより給紙された用紙を、前記の固定ガイドと可動ガイドとの間の用紙搬送経路を通して搬送させるようにすることができる。
【００１５】
また、本発明における画像形成装置においては、用紙を搬送させるのに前記のような用紙搬送装置を用いるようにした。
【発明の効果】
【００１６】
本発明の用紙搬送装置においては、前記のように可動ガイドにおける用紙の搬送方向下流側の端部に切欠き部を設けたため、可動ガイドを固定ガイドから離間させる方向に回動させる角度が制限された場合においても、前記の切欠き部を通して、用紙が用紙搬送経路内に詰まったことを適切に検出することができ、またこの切欠き部の部分から用紙搬送経路内に詰まった用紙の一部を指等でつまんで、詰まった用紙を可動ガイドと固定ガイドとの間から簡単に取り出すことができるようになる。
【図面の簡単な説明】
【００１７】
【図１】本発明の一実施形態に係る用紙搬送装置を使用し、給紙ローラーによって給紙された用紙を固定ガイドと可動ガイドとの間における用紙搬送経路を通して画像形成部に導くようにした画像形成装置を示した概略説明図である。
【図２】同実施形態の用紙搬送装置において、給紙ローラーによって給紙された用紙を固定ガイドと可動ガイドとの間における用紙搬送経路を通して搬送させる状態を示した部分概略説明図である。
【図３】同実施形態の用紙搬送装置において、給紙ローラーによって給紙された用紙が用紙搬送経路内に詰まった状態を示した部分概略説明図である。
【図４】同実施形態の用紙搬送装置において、画像形成装置の下部に水平方向に回動させてジャム処理部分を開閉させるジャム処理用扉を設けた状態を示した部分概略斜視図である。
【図５】同実施形態の用紙搬送装置において、ジャム処理用扉を開けた状態で、用紙搬送経路内に詰まった用紙を、可動ガイドにおける用紙の搬送方向下流側の端部に設けた透光性のシート部材や切欠き部を通して確認する状態を示した部分概略正面図である。
【図６】同実施形態の用紙搬送装置において、ジャム処理用扉を開けた状態で、可動ガイドにおける用紙の搬送方向下流側の端部を固定ガイドから離間させる方向に回動させて、用紙搬送経路内に詰まった用紙を、指等で切欠き部を通して用紙搬送経路内から取り出す状態を示した部分概略説明図である。
【発明を実施するための形態】
【００１８】
次に、この発明の実施形態に係る用紙搬送装置及びこの用紙搬送装置を用いる画像形成装置を添付図面に基づいて具体的に説明する。なお、本発明に係る用紙搬送装置及び画像形成装置は、下記の実施形態に示したものに限定されず、その要旨を変更しない範囲において適宜変更して実施できるものである。
【００１９】
この実施形態の画像形成装置においては、図１に示すように、画像形成装置１内の下部に、用紙Ｓを積載させて収容させた給紙カセット２を着脱可能に装着させ、この給紙カセット２に収容された用紙Ｓを用紙搬送装置１０により画像形成装置１内に設けられた画像形成部３に導き、この画像形成部３において前記の用紙Ｓにトナー画像を形成するようにしている。
【００２０】
ここで、前記の用紙搬送装置１０においては、図１及び図２に示すように、給紙カセット２に収容された用紙Ｓの上に、ピックアップローラー１１を適当な圧力で圧接させ、この状態で、前記のピックアップローラー１１を回転させて、用紙Ｓを給紙カセット２から給紙させ、この用紙Ｓを給紙ローラー１２と捌きローラー１３との間に導くようにし、用紙Ｓが重送されている場合には、前記の給紙ローラー１２と捌きローラー１３との間において重送されている用紙Ｓを捌いた後、１枚の用紙Ｓを給紙ローラー１２によって用紙搬送経路Ｒに導くようにしている。
【００２１】
そして、このように用紙搬送経路Ｒに導かれた用紙Ｓを、この用紙搬送経路Ｒを通して、用紙搬送経路Ｒの上流側に設けられた対になった送りローラー１４ａ，１４ｂに送り、この送りローラー１４ａ，１４ｂにより用紙Ｓを前記の画像形成部３に導くようにしている。
【００２２】
ここで、この実施形態における用紙搬送装置１０においては、前記の給紙ローラー１２と送りローラー１４ａ，１４ｂとの間における内側部分に用紙Ｓを案内する固定ガイド１５を設けると共に、この固定ガイド１５の外側において、用紙Ｓの搬送方向上流側の部分を支点として固定ガイド１５に近接・離間する方向に回動される可動ガイド１６を設け、この可動ガイド１６を固定ガイド１５に近接させる方向に回動させて、可動ガイド１６と固定ガイド１５との間に用紙搬送経路Ｒを形成するようにしている。
【００２３】
そして、前記の可動ガイド１６における用紙Ｓの搬送方向下流側の端部に、弾性を有する透光性のシート部材１６ａを取り付けると共に、シート部材１６ａが取り付けられた可動ガイド１６の幅方向中央部に所要間隔を介して２つの切欠き部１６ｂを設けている。なお、このように所要間隔を介して２つの切欠き部１６ｂを設ける場合には、２つの切欠き部１６ｂの間隔が、前記の用紙搬送装置１０によって搬送させる最小の用紙Ｓの幅よりも小さくなるようにする。
【００２４】
また、この実施形態においては、前記の用紙搬送経路Ｒ内に詰まった用紙Ｓを用紙搬送経路Ｒ内から取り出すにあたり、図３及び図４に示すように、画像形成装置１の下部において、水平方向に回動させてジャム処理部分を開閉させるジャム処理用扉１７を設けており、このジャム処理用扉１７に、前記の対になった送りローラー１４ａ，１４ｂにおける外側の送りローラー１４ｂを取り付け、ジャム処理用扉１７を開けた場合には、前記の外側の送りローラー１４ｂが対向する内側の送りローラー１４ａから離間されるようにしている。
【００２５】
そして、この用紙搬送装置１０において、給紙ローラー１２によって用紙搬送経路Ｒに導かれた用紙Ｓが、この用紙搬送経路Ｒ内に詰まってジャムが生じた場合には、前記のジャム処理用扉１７を水平方向に回動させてジャム処理部分を開き、図５に示すように、前記の可動ガイド１６を露出させるようにする。
【００２６】
この時、この可動ガイド１６においては、前記のように用紙Ｓの搬送方向下流側の端部に透光性のシート部材１６ａを取り付けると共に、シート部材１６ａが取り付けられた可動ガイド１６の幅方向中央部に所要間隔を介して２つの切欠き部１６ｂを設けているため、図５に示したように、この透光性のシート部材１６ａや切欠き部１６ｂを通して、用紙搬送経路Ｒ内に詰まった用紙Ｓを簡単に確認できるようになる。
【００２７】
また、このように用紙搬送経路Ｒ内に詰まった用紙Ｓを用紙搬送経路Ｒから取り出すにあたっては、図６に示すように、固定ガイド１５に近接された状態にある可動ガイド１６を、用紙Ｓの搬送方向上流側の部分の支点として固定ガイド１５から離間させる方向に回動させて、この可動ガイド１６における用紙Ｓの搬送方向下流側の端部と固定ガイド１５との隙間を大きくする。この場合、可動ガイド１６において、用紙Ｓの搬送方向下流側の端部に設けられた前記の２つの切欠き部１６ｂの部分においては、固定ガイド１５との隙間がさらに大きくなる。
【００２８】
そして、このように固定ガイド１５との隙間が大きくなった前記の２つの切欠き部１６ｂから指を入れて、用紙搬送経路Ｒ内に詰まった用紙Ｓの２ヶ所をつまみ、用紙Ｓを平行にした状態で可動ガイド１６と固定ガイド１５との間から取り出すようにする。なお、このように切欠き部１６ｂから指を入れる場合、指がスムーズに切欠き部１６ｂに挿入されるように、この切欠き部１６ｂの幅を２０ｍｍ以上にすることが望ましい。
【００２９】
このようにすると、用紙搬送経路Ｒ内に詰まった用紙Ｓを可動ガイド１６と固定ガイド１５との間から簡単に取り出すことができると共に、用紙Ｓが破れて用紙Ｓの一部が用紙搬送経路Ｒ内に残るということも防止される。
【００３０】
ここで、用紙搬送経路Ｒ内に用紙Ｓが詰まってジャムが生じた場合において、前記のようにジャム処理用扉１７を水平方向に回動させて、ジャム処理部分を開けた時に、これに伴って、前記のように可動ガイド１６が、用紙Ｓの搬送方向上流側の部分を支点として、この可動ガイド１６における用紙Ｓの搬送方向下流側の端部が固定ガイド１５から離間されるように回動されるようにすることもできる。
【００３１】
また、前記のようにジャム処理用扉１７を水平方向に回動させて、用紙搬送経路Ｒ内に詰まった用紙Ｓを取り出す作業を行う場合に、画像形成装置１内に装着された給紙カセット２が取り出されないようにするため、図示していないが、プランジャーソレノイド等を用いて給紙カセットが取り出されないようにロックさせるようにすることもできる。
【００３２】
また、この実施形態においては、画像形成装置１に１つの給紙カセット２を装着させる場合について説明したが、図示していないが、複数の給紙カセットを上下に装着させる場合には、各給紙カセットに対応させて、前記のような用紙搬送装置を設けるようにすることができる。
【符号の説明】
【００３３】
１    画像形成装置
２    給紙カセット
３    画像形成部
１０  用紙搬送装置
１１  ピックアップローラー
１２  給紙ローラー
１３  捌きローラー
１４ａ、１４ｂ  送りローラー
１５  固定ガイド
１６  可動ガイド、１６ａ  シート部材、１６ｂ  切欠き部
１７  ジャム処理用扉
Ｒ    用紙搬送経路
Ｓ    用紙
【図１】
0006540076.tif 000002
【図２】
0006540076.tif 000003
【図３】
0006540076.tif 000004
【図４】
0006540076.tif 000005
【図５】
0006540076.tif 000006
【図６】
0006540076.tif 000007